(57)【要約】【課題】フェルールとファイバスタブの接続を確実に行うことができ、かつ、振動衝撃等の負荷を受けた場合でも安定した接続が可能なファイバスタブ保持機構を提供する。【解決手段】ファイバスタブの保持機構において、位置決め孔が形成された取付板と、該取付板の位置決め孔に両面から対向して挿入された貫通孔を有する２つの光アダプタと、前記２つの光アダプタの貫通孔に挿入されたスリーブと、該スリーブの中程に挿入されたファイバスタブと、一端に光ファイバケーブルが接続され他端が前記スリーブの両端からそれぞれ挿入されてファイバスタブに当接するフェルールと、該フェルールのそれぞれの一端をネジにより押圧して固定する光コネクタクラブを備えている。【選択図】図１
2010282130.tif 000002
【特許請求の範囲】
【請求項１】
発光素子から出射した光を光ファイバケーブルとファイバスタブを介して受光素子で受光するように構成したファイバスタブの保持機構において、該ファイバスタブの保持機構は、位置決め孔が形成された取付板と、該取付板の位置決め孔に両面から対向して挿入された貫通孔を有する２つの光アダプタと、前記２つの光アダプタの貫通孔に挿入されたスリーブと、該スリーブの中程に挿入されたファイバスタブと、一端に光ファイバケーブルが接続され他端が前記スリーブの両端からそれぞれ挿入されてファイバスタブに当接するフェルールと、該フェルールのそれぞれの一端をネジにより押圧して固定する光コネクタクラブを備えたことを特徴とするファイバスタブ保持機構。
【請求項２】
前記フェルールのそれぞれの一端を前記ファイバスタブの両端に押し付けるに際しては光コネクタプラグに設けたバネを介して押し付けることを特徴とする請求項１に記載のファイバスタブ保持機構。
【発明の詳細な説明】
【技術分野】
【０００１】
本発明は、ファイバスタブの保持機構に関し、フェルール(棒端子)とファイバスタブの接続に用いて好適なファイバスタブ保持機構に関するものである。
【背景技術】
【０００２】
例えば、光位相信号測定装置等では少なくとも２組の発光素子と受光素子を備え、発光素子から出射した光をそれぞれ光ファイバを介して受光素子で受光し光位相信号測定装置の性能を検査することが行われる。
【０００３】
その場合、光ファイバの長さは例えば２〜３ｍ程度になることがあり、かつ、それぞれの光ファイバの相対長さを１ｍｍ以下になるように高精度に揃える必要がある。
図３（ａ，ｂ）は光位相信号測定装置の性能検査のための概略構成を示す接続図である。
【０００４】
図３（ａ）は光ファイバケーブル４ａ,４ｂの長さが同一に近い（例えばそれぞれのケーブルの長さの差が０．５ｍｍ以下）場合の接続例を示すもので、光位相信号測定装置４０に固定された発光素子１ａ，１ｂから出射した光は光ファイバケーブル４ａ,４ｂを介して受光素子２ａ，２ｂにそのまま入射している。
しかし、このような例は稀でありファイバケーブル４ａ,４ｂの長さは１ｍｍ以上異なっている場合が多い。なお、前提として発光素子１ａ，１ｂ及び受光素子２ａ，２ｂの性能は同等であるものとする。
【０００５】
図３（ｂ）は光ファイバケーブル４ａ,４ｂの長さが同一でなかった（例えば一方が１ｍｍ以上長い）場合の接続例を示すもので、光位相信号測定装置４０に固定された発光素子１ａから出射した光は光ファイバケーブル４ａの途中に設けられた長さ調節が可能なファイバスタブ保持機構５ａを介して受光素子２ａに入射している。
【０００６】
同様に発光素子１ｂから出射した光は光ファイバケーブル４ｂの途中に設けられたファイバスタブ保持機構５ｂを介して受光素子２ｂに入射している。
即ち、ファイバスタブ保持機構５ａ，５ｂで長さ調整をおこなうことにより両方の光ファイバケーブル４ａ,４ｂの長さが同じになるように調整している。
【０００７】
図４（ａ，ｂ）はこのようなファイバスタブ保持機構５ａ，５ｂの従来例を示す一部断面構成図である。
ファイバスタブ保持機構５ａ，５ｂは例えば長さ５０ｍｍ、直径４ｍｍ，孔径３ｍｍ程度に形成されたスリーブ６と、このスリーブ６の中程に挿入された長さ２０ｍｍ程度に形成されたファイバスタブ７ａ，７ｂと、一端に鍔８ｂ，９ｂを有し他端に光ファイバケーブルが接続されたフェルール８ａ，９ａと、スリーブ６よりもわずかに長くかつ、断面が略コ字状に形成され、端部が背中合わせにく字状に形成された板バネ１０で構成されており、フェルール８ａ，９ａの一端はスリーブ６の両端から２０ｍｍ程度挿入されている。
【０００８】
図４（ｃ）は図４（ａ）のＺ視図である。図に示すように板バネ１０の両端は直角に折り曲げられると共に先端部がＶ字状に形成されており、光ファイバケーブル４に触れないようにしてフェルール８ａ，９ａの鍔８ｂ，９ｂの両端を押圧して両端のフェルール８ａ，９ａをファイバスタブ７ａ，７ｂに密着させるとともにスリーブ６から抜け落ちるのを防止している。
なお、スリーブ６の長さはファイバスタブ７ａ，７ｂと両端から挿入されたフェルール８ａ，９ａを加えた長さよりもわずかに短く形成されており、バネ１０が有効に機能するようになっている。
【０００９】
図４（ａ，ｂ）はファイバスタブ７ａ，７ｂの長さのみが異なるものであり、発光素子1ａ，１ｂから受光素子２ａ，２ｂまでの距離Ｌ１，Ｌ２を所定の差以下になるように調整する。なお、ファイバスタブ７ａ，７ｂの長さは例えば２０ｍｍを中心に０．１ｍｍ単位で長さの異なる複数のものが用意されている。
【先行技術文献】
【特許文献】
【００１０】
【特許文献１】特開平０９−１０１４３４号公報
【特許文献２】特開２００５−０１０２１１号公報
【特許文献３】特開２００７−３２２８９７号公報
【発明の概要】
【発明が解決しようとする課題】
【００１１】
ところで、図４に示す構成では、スリーブ６にファイバスタブ７ａ，７ｂとフェルール８ａ，９ａを挿入し、板バネ１０で簡易的にフェルールとファイバスタブを押さえ込んでいるだけのため、機器使用中に振動衝撃等の負荷を受けた場合、フェルールとファイバスタブの接続が不安定になるという課題があった。
【００１２】
従って本発明は、前記課題を解決するためになされたものであり、フェルールとファイバスタブの接続が容易で確実に行うことができ、かつ、機器使用中に振動衝撃等の負荷を受けた場合でも安定した接続が可能なファイバスタブ保持機構を提供することを目的とする。
【課題を解決するための手段】
【００１３】
本発明は上記問題点を解決するためになされたもので、請求項１に記載のファイバスタブ保持機構の発明においては、
発光素子から出射した光を光ファイバケーブルとファイバスタブを介して受光素子で受光するように構成したファイバスタブの保持機構において、該ファイバスタブの保持機構は、位置決め孔が形成された取付板と、該取付板の位置決め孔に両面から対向して挿入された貫通孔を有する２つの光アダプタと、前記２つの光アダプタの貫通孔に挿入されたスリーブと、該スリーブの中程に挿入されたファイバスタブと、一端に光ファイバケーブルが接続され他端が前記スリーブの両端からそれぞれ挿入されてファイバスタブに当接するフェルールと、該フェルールのそれぞれの一端をネジにより押圧して固定する光コネクタクラブを備えたことを特徴とする。
【００１４】
請求項２においては、請求項１に記載のファイバスタブ保持機構において、
前記フェルールのそれぞれの一端を前記ファイバスタブの両端に押し付けるに際しては光コネクタプラグに設けたバネを介して押し付けることを特徴とする。
【発明の効果】
【００１５】
本発明の請求項１によれば、フェルールのそれぞれの一端をネジにより押圧して固定する光コネクタクラブを備えたので、機器使用中に振動衝撃等の負荷を受けた場合でもフェルールとファイバスタブの接続が不安定になることがない。
【００１６】
また、請求項２によれば、フェルールを光コネクタプラグに設けたバネを介して押し付けるので、機器使用中に振動衝撃等が発生してもその衝撃を吸収することができフェルールとファイバスタブの接続が不安定になることがない。
【図面の簡単な説明】
【００１７】
【図１】本発明のファイバスタブ保持機構の実施形態の一例を示す構成図である。
【図２】本発明のファイバスタブ保持機構の実施形態の一例を示す斜視図である。
【図３】ファイバスタブ保持機構の使用例を示す説明図である。
【図４】従来のファイバスタブ保持機構の一例を示す構成図である。
【発明を実施するための形態】
【００１８】
図１（ａ，ｂ）は本発明のファイバスタブ保持機構１５の一例を示す構成図、図２は図１の斜視図である。図１（ａ）と（ｂ）では距離Ｌ１とＬ２の長さを所定の範囲に調整するためのファイバスタブ７ａ，７ｂの長さが異なるのみである。
従って図１ａについて説明する。
【００１９】
図１（ａ）において、ファイバスタブ保持機構１５を構成する取付板１６は矩形状とされ、面の中央に位置決め孔１６ａが穿たれている。この位置決め孔に光アダプタ２０，２１を挿入してねじ止めされる。光アダプタ２０，２１の中央部には貫通孔２０ａ，２１ａが形成されている。
【００２０】
この貫通孔２０ａ，２１ａにはそれぞれ割りスリーブ２２ａ，２２ｂが挿入されており、両方のスリーブを跨いで中央部にファイバスタブ７ａが挿入されている。このファイバスタブ７ａの長さは図１（ｂ）に示すファイバスタブ７ｂの長さとはわずかに（例えば数ｍｍ）異なるものであり、発光素子１ａ，１ｂと受光素子２ａ，２ｂ間の距離Ｌ１，Ｌ２をほぼ同様（例えば０．５ｍｍ以下）に調整する。
【００２１】
フェルール１８ａ，１８ｂの一端には光ファイバケーブル４ａ，４ｂが接続されており、円筒状に形成された光コネクタプラグ１９ａ，１９ｂ内に挿入されている。この光コネクタプラグ１９ａ，１９ｂには軸線に沿って小径孔イ，中径孔ロ，大径孔ハが形成されている。
【００２２】
そして、小径孔イからは光ファイバケーブル４ａ，４ｂが引き出され、中径孔ロには底部にバネ３０が配置され、その上にフェルール１８ａ，１８ｂの一端が挿入されている。フェルール１８ａ，１８ｂの他端は割りスリーブ２２ａ，２２ｂの両端に挿入され、その先端はファイバスタブ７ａの両端に当接している。
【００２３】
光コネクタプラグ１９ａ，１９ｂの大径孔ハにはネジが形成されており、このネジが光アダプタ２０，２1に形成された他方のネジにねじ込まれる。その結果、中径孔ロに挿入され一端がバネ３０に当接しているフェルール１８ａ，１８ｂの他端はファイバスタブ７ａの両端にネジにより押圧される。
【００２４】
上述の構成によれば機器使用中に振動衝撃等の負荷を受けた場合でもフェルールとファイバスタブの接続が不安定になることがなく、衝撃を吸収することができる。
【００２５】
なお、以上の説明は、本発明の説明および例示を目的として特定の好適な実施例を示したに過ぎない。例えば各部材の形状は図示のものに限るものではない。
従って本発明は、上記実施例に限定されることなく、その本質から逸脱しない範囲で更に多くの変更、変形を含むものである。
【符号の説明】
【００２６】
１ａ    発光素子
２ａ    受光素子
４      光ファイバケーブル
５，１５  ファイバスタブ保持機構
６      スリーブ
７      ファイバスタブ
８，９，１８  フェルール
８ｂ，９ｂ  鍔
１０    板バネ
１９    光コネクタプラグ
２０，２１  光アダプタ
２２    割りスリーブ
４０    光位相信号測定装置
【図１】
2010282130.tif 000003
【図２】
2010282130.tif 000004
【図３】
2010282130.tif 000005
【図４】
2010282130.tif 000006